(57)【要約】      （修正有）【課題】フィルタリングできる阻止帯域と電磁波干渉のフィルタリング効果を大幅に上げ、電気製品の使用寿命とその他の電気製品の動作と寿命に対する影響を防ぐフィルタ及びフィルタカバーを提供する。【解決手段】少なくとも１つの本体１０１、および本体１０１の周縁に位置され、本体１０１を複数の巻線区間１０２、１０４に分け、少なくとも１つのコイルが提供されて巻線区間１０２、１０４にそれぞれ巻きつけられる複数の突起１１０を含むフィルタカバー。【選択図】図１
2008258566.tif 000002
【特許請求の範囲】
【請求項１】
少なくとも１つの本体と、
前記本体の周縁に位置され、前記本体を複数の巻線区間に分け、少なくとも１つのコイルが提供されて前記巻線区間にそれぞれ巻きつけられる複数の突起とを含むことを特徴とするフィルタカバー。
【請求項２】
前記突起及び前記本体は、一体成型、または独立構造であることを特徴とする請求項１に記載のフィルタカバー。
【請求項３】
前記コイル数が２つ以上のとき、各前記コイルが少なくとも２つの前記巻線区間に巻きつけられることを特徴とする請求項１に記載のフィルタカバー。
【請求項４】
前記コイルの間に設置されて前記コイルを隔て、且つ、
前記本体に直接位置される隔板、前記本体の環状形の中空部を横切る隔板、または前記本体に直接位置され、且つ、前記本体の環状形の中空部を横切る隔板のうち、少なくとも１つの前記隔板を更に含むことを特徴とする請求項３に記載のフィルタカバー。
【請求項５】
少なくとも１つの鉄心と、
前記鉄心を覆い、且つ、その周縁に複数の突起を有し、前記突起がそれを複数の巻線区間に分ける少なくとも１つのカバーと、
前記カバーに巻きつけられ、且つ、前記巻線区間にそれぞれ巻きつけられる少なくとも１つのコイルとを含むことを特徴とするフィルタ。
【請求項６】
前記コイル数が２つ以上のとき、各前記コイルが少なくとも２つの前記巻線区間に巻きつけられることを特徴とする請求項５に記載のフィルタ。
【請求項７】
少なくとも１つの鉄心と、
前記鉄心を覆い、且つ、その周縁に複数の突起を有し、前記突起がそれを複数の巻線区間に分ける少なくとも１つのカバーと、
前記カバーの１つ側に巻きつけられ、且つ、少なくとも２つの前記巻線区間にそれぞれ巻きつけられる少なくとも１つの第１コイルと、
前記カバーのもう１つ側に巻きつけられ、且つ、少なくとも２つの前記巻線区間にそれぞれ巻きつけられる少なくとも１つの第２コイルとを含むことを特徴とするフィルタ。
【請求項８】
前記突起及び前記カバーは、一体成型、または独立構造であることを特徴とする請求項５、または請求項７に記載のフィルタ。
【請求項９】
前記カバーに直接位置される隔板、前記カバーの環状形の中空部を横切る隔板、または前記カバーに直接位置され、且つ、前記カバーの環状形の中空部を横切る隔板のうち、少なくとも１つの前記隔板を更に含むことを特徴とする請求項５、または請求項７に記載のフィルタ。
【発明の詳細な説明】
【技術分野】
【０００１】
本発明は、フィルタ及びフィルタカバーに関し、特に、周波数帯域が広く、電磁波干渉をフィルタリングする効果の強いフィルタ及びフィルタカバーに関するものである。
【背景技術】
【０００２】
電気製品の中には多くの電子素子があり、各電子素子は、大量の電磁波干渉（ＥＭＩ）を発生し、各電子素子そのものの動作にひどく干渉するだけでなく、電気製品内の回路にも多大に干渉し、引いては電気製品を破損、または故障させる。電磁干渉が深刻になると、その他の電気製品の異常な動作、または損傷をも招く。
【０００３】
このため、一般の電気製品には高周波フィルタが実装され、電気製品内の電磁波干渉を減少する。高周波を用いたフィルタは、環状形の鉄心からなり、環状形の鉄心を覆う環状形のカバーと、環状形のカバーの両側をそれぞれ緊密に巻く２つのコイルとにより形成される。しかし、これらの高周波フィルタは、各コイル側の間に巻く間隙が存在しないことから、阻止帯域が小さいだけでなく、一定限度の電磁波干渉をわずかにフィルタリングできるだけである。
【０００４】
しかし、電気製品の小型化と回路の集積化に伴って、電気製品の動作によって生じる阻止帯域が大幅に増加し、且つ、電磁波干渉も大幅に増す。よって、現存する従来の高周波フィルタは、阻止帯域が非常に足りないだけでなく、充分な電磁波干渉のフィルタリングの効果を得ることもできず、現在の電気製品の動作プロセスで少なからず電磁波干渉が発生し、電気製品の使用寿命を減少し、その他の電気製品の動作と寿命に影響を及ぼす。
【発明の開示】
【発明が解決しようとする課題】
【０００５】
よって、上述の問題を解決するために、本発明は、フィルタリングできる阻止帯域と電磁波干渉のフィルタリング効果とを大幅に上げ、電気製品の使用寿命とその他の電気製品の動作と寿命に対する影響を防ぐフィルタ及びフィルタカバーを提供する。
【課題を解決するための手段】
【０００６】
本発明は、少なくとも１つの鉄心と、少なくとも１つのカバーと、少なくとも１つの第１コイルと、少なくとも１つの第２コイルとを含むフィルタを提供する。カバーは、鉄心を覆い、且つ、カバーの周縁は、複数の突起が形成される。カバーは、突起によって複数の巻線区間に分けられる。第１コイルは、少なくとも２つの巻線区間に巻きつけられ、第２コイルは、少なくとも２つの巻線区間に巻きつけられる。
【０００７】
また、本発明は、少なくとも１つの鉄心と、少なくとも１つのカバーと、少なくとも１つの第１コイルとを含むフィルタを提供する。カバーは、鉄心を覆い、且つ、カバーの周縁は、複数の突起が形成される。カバーは、突起によって複数の巻線区間に分けられる。第１コイルは、巻線区間に巻きつけられる。
【０００８】
また、本発明は、少なくとも１つの本体と、本体の周縁に位置される複数の突起とを含み、本体を複数の巻線区間に分け、少なくとも１つのコイルが提供され、巻線区間にそれぞれ巻きつけられる。
【０００９】
カバーは、第１コイルと第２コイルとを隔てる、少なくとも１つの隔板を更に含む。隔板は、カバーと一体成型である、または分けられて構造されることができる。
【発明の効果】
【００１０】
本発明のフィルタは、カバーの突起によってコイルを複数の巻線区間に分けるため、各コイルの阻止帯域が大幅に増加され、更に、２つのコイルの作用において従来技術の電磁波干渉量を遥かに超えてフィルタリングすることができる。よって、本発明のフィルタは、このフィルタを実装した電気製品の使用寿命を大幅に上げることができるだけでなく、その他の電気製品の動作と寿命への影響を防ぐことができる。
【発明を実施するための最良の形態】
【００１１】
本発明についての目的、特徴、長所が一層明確に理解されるよう、以下に実施形態を例示し、図面を参照にしながら、詳細に説明する。
【実施例】
【００１２】
図１は、本発明の実施例のフィルタカバー１００を表している概略図である。図１を参照下さい。本発明のフィルタカバー１００はフィルターのカバーであり、少なくとも１つの本体１０１と、複数の突起１１０とを含む。
【００１３】
本体１０１は、第１側１０２と第２側１０４とを有する。また、第１側１０２及び第２側１０４は、少なくとも１つのコイル（第１コイル、第２コイル）をそれぞれ巻くことができ、且つ、コイル数が２つ、３つまたは３つ以上のとき、本体１０１にあるコイルは、互いに電気的接続しない。また、フィルタカバー１００内は、少なくとも１つの鉄心を更に有する。鉄心及びコイルは、互いに誘導し、電磁波干渉をフィルタリングする効果を得る。本体１０１の形状は、円環、楕円環、または多角形環などの環状の形態であることができる。本体１０１の材料は、プラスチックまたは金属であることができる。
【００１４】
突起１１０は、本体１０１の周縁に位置され、本体１０１を複数の巻線区間に分け、コイルが提供されて巻線区間にそれぞれ巻きつけられる。コイル数が２つ、３つまたは３つ以上の時、各コイルは、少なくとも２つの巻線区間にそれぞれ巻きつけられる。突起１１０は、対称配列をなしていることが好ましい。突起１１０が対称配列をなしているとき、巻線区間の大きさを近くして阻止帯域を均一に上げることができ、更に、フィルタリングできる電磁波量を大幅に上げることができる。
【００１５】
また、突起１１０の数が多いほど、コイルの巻線や巻数もそれに伴って増え、阻止帯域を上げることができ、フィルタリングできる電磁波量を増すことができる。また、突起１１０の材料は、プラスチックまたは金属であることができる。突起１１０の材料は、本体１０１と同じであることができ、異なることもできる。突起１１０は、本体１０１と一体成型であることができ、本体１０１と互いに独立して構造することもできる。突起１１０と本体１０１とが互いに独立するとき、突起１１０は、本体１０１に実装される。
【００１６】
フィルタカバー１００は、コイルの間に設置されてコイルを分ける少なくとも１つの隔板を更に含む。隔板は、本体１０１に直接位置される隔板１０６であることができ、本体１０１の環状形の中空部を横切る隔板１０８であることもでき、隔板１０６と隔板１０８とを同時に兼ね備える形式であることもできる。隔板１０６または隔板１０８のどちらでも、異なるコイルを隔てるように用いられ、異なるコイルの巻線位置を隔てる助けをする。隔板１０６または隔板１０８の材料は、プラスチックまたは金属であることができる。隔板１０６または隔板１０８の材料は、本体１０１と同じであることができ、異なることもできる。隔板１０６または隔板１０８は、本体１０１と一体成型であることができ、本体１０１と互いに独立して構造することもできる。
【００１７】
また、フィルタカバー１００は、複数のカバーが組み合わされてなることもできる。この時、鉄心は、フィルタカバー１００によって更に覆われ易くなる。
【００１８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１９】
【図１】本発明の実施例のフィルタカバーを表している概略図である。
【符号の説明】
【００２０】
１００  フィルタカバー（カバー）
１０１  本体
１０２  第１側
１０４  第２側
１０６、１０８  隔板
１１０  突起
【図１】
2008258566.tif 000003